(57)【要約】【課題】採尿パッドの開口部から尿が溢れることを抑制する技術を提供すること。【解決手段】採尿パッド１は、略矩形の袋体１０を備えている。該袋体１０は、長手方向に延びる側辺部１６と、長手方向に直交する幅方向に延びるとともに、側辺部１６ａに繋がる上辺部１５とを有する。側辺部１６のうち、上辺部１５に連続する側辺部１６ａには、幅方向に開口する開口部１０Ｐが設けられている。開口部１０Ｐに対して、幅方向に沿って男性器Ｐが挿入されるため、底部１０ｃが男性器Ｐの下方に配置されやすくなる。そのため、おむつや下着などが着用された場合にも、底部１０ｃ周辺が大きく折れ曲がることを抑制できる。したがって、尿が開口部１０Ｐから溢れることを効果的に抑制できる。【選択図】図１
2011110264.tif 000002
【特許請求の範囲】
【請求項１】
男性器に装着されて男性器から排泄される尿を吸収する尿吸収物品であって、
内側面を構成する液透過性のトップシートと、外側面を構成する液不透過性のバックシートと、前記トップシートおよび前記バックシートの間に介在する吸収体と、を有し、前記男性器を内部に挿入するための開口部が設けられた袋体を備え、
前記袋体は、
第一方向に延びる側辺部と、
前記第一方向に交差する第二方向に延びるとともに、前記側辺部に繋がる上辺部と、
を含み、
前記開口部は、前記側辺部のうち、前記上辺部側に偏った位置に設けられている尿吸収物品。
【請求項２】
請求項１に記載の尿吸収物品において、
前記第一方向が、前記袋体の長手方向である尿吸収物品。
【請求項３】
請求項１または２に記載の尿吸収物品において、
前記開口部が、前記側辺部および前記上辺部の双方に跨ぐようにして設けられており、
前記上辺部には、前記開口部を形成する袋体の対向部分を互いに重ね合わせた状態で固定することにより、前記開口部の開口の大きさを調整する開口調整部が設けられている尿吸収物品。
【請求項４】
請求項１から３までのいずれか１項に記載の尿吸収物品において、
前記側辺部のうち、少なくとも前記開口部が設けられている部分が、前記第二方向に沿って外方に突出する張り出し部を含む尿吸収物品。
【請求項５】
請求項１から４までのいずれか１項に記載の尿吸収物品において、
前記袋体の底部が、前記袋体の内部へ向けて折り込まれた折り込み部を有する尿吸収物品。
【請求項６】
請求項５に記載の尿吸収物品において、
前記折り込み部に、前記吸収体が配置されている尿吸収物品。
【請求項７】
請求項１から６までのいずれか１項に記載の尿吸収物品において、
前記袋体には、前記袋体を収縮させる方向に付勢する付勢部、をさらに含む尿吸収物品。
【請求項８】
請求項７に記載の尿吸収物品において、
前記付勢部が、伸長された状態で前記袋体の周囲に取り付けられる弾性部材を含む尿吸収物品。
【請求項９】
請求項１から８までのいずれか１項に記載の尿吸収物品において、
前記開口部近傍部分が、その周囲とは異なる色を呈している尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着などのアウターの内側で男性器に装着され、男性器から排泄される尿を吸収する尿吸収物品が知られている。このような採尿パッドの例として、特許文献１には、開口部を有する袋状に構成され、該開口部を介して内部に男性器が挿入される尿吸収物品が記載されている。
【先行技術文献】
【特許文献】
【０００３】
【特許文献１】特開２００４−１５９７２４号公報
【発明の概要】
【発明が解決しようとする課題】
【０００４】
図１０は、従来の採尿パッド１００を男性器に装着させた様子を示す図である。図１０に示すように、従来の袋状の採尿パッド１００は、男性器を挿入する開口部１０１が採尿パッド１００の上辺部１０２（底部１０３の反対側）に設けられている。一般的に、男性器Ｐは、足腰に対して斜めに延びているため、男性器Ｐに採尿パッド１００を装着した場合、図１０に示すように、採尿パッド１００は斜めに傾いた姿勢で固定される。
【０００５】
このような状態で、例えば使用者がおむつ１０４（または下着）を着用すると、図１０に示すように、採尿パッド１００の底部１０３が、おむつ１０４に接触して部分的に折り曲げられることにより、採尿パッド１００に大きな皺が発生して、採尿パッド１００の内部空間が塞がれてしまう場合がある。このような場合、男性器から排出された尿が開口部１０１から溢れ出てしまう虞がある。
【０００６】
本発明は、このような事情に鑑みなされたものであり、採尿パッドの開口部から尿が溢れることを抑制する技術を提供することを目的とする。
【課題を解決するための手段】
【０００７】
上記の課題を解決するため、第１の態様は、男性器に装着されて男性器から排泄される尿を吸収する尿吸収物品であって、内側面を構成する液透過性のトップシートと、外側面を構成する液不透過性のバックシートと、前記トップシートおよび前記バックシートの間に介在する吸収体とを有し、前記男性器を内部に挿入するための開口部が設けられた袋体を備え、前記袋体は、第一方向に延びる側辺部と、前記第一方向に交差する第二方向に延びるとともに、前記側辺部に繋がる上辺部とを含み、前記開口部は、前記側辺部のうち、前記上辺部側に偏った位置に設けられている。
【０００８】
また、第２の態様は、第１の態様に係る尿吸収物品において、前記第一方向が、前記袋体の長手方向である。
【０００９】
また、第３の態様は、第１または第２の態様に係る尿吸収物品において、前記開口部が、前記側辺部および前記上辺部の双方に跨ぐようにして設けられており、前記上辺部には、前記開口部を形成する袋体の対向部分を互いに重ね合わせた状態で固定することにより、前記開口部の開口の大きさを調整する開口調整部が設けられている。
【００１０】
また、第４の態様は、第１から第３までのいずれか１の態様に係る尿吸収物品において、前記側辺部のうち、少なくとも前記開口部が設けられている部分が、前記第二方向に沿って外方に突出する張り出し部を含む。
【００１１】
また、第５の態様は、第１から第４までのいずれか１の態様に係る尿吸収物品において、前記袋体の底部が、前記袋体の内部へ向けて折り込まれた折り込み部を有する。
【００１２】
また、第６の態様は、第５の態様に係る尿吸収物品において、前記折り込み部に、前記吸収体が配置されている。
【００１３】
また、第７の態様は、第１から第６までのいずれか１の態様に係る尿吸収物品において、前記袋体には、前記袋体を収縮させる方向に付勢する付勢部、をさらに含む。
【００１４】
また、第８の態様は、第７の態様に係る尿吸収物品において、前記付勢部が、伸長された状態で前記袋体の周囲に取り付けられる弾性部材を含む。
【００１５】
また、第９の態様は、第１から第８までのいずれか１の態様に係る尿吸収物品において、前記開口部近傍部分が、その周囲とは異なる色を呈している。
【発明の効果】
【００１６】
第１から第９の態様に係る尿吸収物品によれば、側辺部に形成された開口から男性器を挿入できるため、おむつや下着などをさらに着用した場合に、袋体の底部周辺が大きく折り曲げられることを抑制できる。これにより、袋体に比較的大きな皺が発生することを抑制できるため、袋体の内部空間が塞がれることを低減でき、開口部から尿が溢れることを抑制できる。
【００１７】
特に、第２の態様に係る尿吸収物品によれば、袋体内部の開口部よりも下側に、尿を収容するための空間をより広く確保することができる。
【００１８】
特に、第３の態様に係る尿吸収物品によれば、開口調整部によって開口部の開口の大きさを調整することにより、男性器を袋体から外れ難くすることができる。また男性器に袋体をしっかりと装着できることによって、尿漏れの発生を低減できる。
【００１９】
特に、第４の態様に係る尿吸収物品によれば、装着時に男性器が張り出し部に包まれるため、男性器が袋体から外れ難くなる。また、部分的に突出させた特徴的な構造を形成することによって、男性器の挿入口の位置が分かりやすくなる。
【００２０】
特に、第５の態様に係る尿吸収物品によれば、袋体を、寸法が長くなることを抑えつつ、尿の収容空間を拡げることができる。したがって、袋体の寸法に対する尿の収容能力が向上する。
【００２１】
特に、第６の態様に係る尿吸収物品によれば、吸収体を配置する場所が拡大されるため、袋体の尿の吸収能力を向上できる。また、尿が排泄された際に、折り込み部の吸収体がこれを吸収することにより、袋体の内部空間が大きくなる。これにより、尿の収容空間を拡げることができる。
【００２２】
特に、第７の態様に係る尿吸収物品によれば、袋体が内側に引っ張られることによって、袋体が袋状に膨らみ易くなる。これにより、袋体の内部空間が塞がれることを抑制できる。したがって、尿吸収物品の尿の吸収効率が向上する。
【００２３】
特に、第８の態様に係る尿吸収物品によれば、袋体を容易に収縮させることができる。
【００２４】
第９の態様に係る尿吸収物品によれば、色によって、袋体の開口部の位置を容易に認識しやすくなる。
【図面の簡単な説明】
【００２５】
【図１】実施形態に係る採尿パッドの全体図である。
【図２】図１に示すＩＩ−ＩＩ位置から見た採尿パッドの断面図である。
【図３】図２に示すＩＩＩ−ＩＩＩ位置から見た袋体の断面図である。
【図４】採尿パッドの展開図である。
【図５】採尿パッドを男性器に装着している様子を示す図である。
【図６】おむつがさらに着用されたときの、男性器に装着された採尿パッドを示す図である。
【図７】変形例に係る採尿パッドの断面図である。
【図８】変形例に係る採尿パッドの断面図である。
【図９】変形例に係る採尿パッドの全体図である。
【図１０】従来の採尿パッドを示す全体図である。
【発明を実施するための形態】
【００２６】
以下、実施形態について、図面を参照しつつ説明する。
【００２７】
＜１．実施形態＞
図１は、実施形態に係る採尿パッド１の全体図である。また、図２は、図１に示すＩＩ−ＩＩ位置から見た採尿パッド１の断面図である。採尿パッド１は、男性器（ペニス）に装着されて男性器から排泄される尿を吸収する尿吸収物品である。着用者は、この採尿パッド１を装着し、その上におむつや下着などのアウターを着用することができる。採尿パッド１を着用した場合、軽度の排尿であれば、おむつなどを交換することなく、採尿パッド１のみを交換すればよい。そのため、着用者の経済的負担や介護者の介護負担が軽減されるとともに、環境にも良好である。
【００２８】
図１に示すように、本実施形態の採尿パッド１は、略矩形状の面を重ね合わせた形態の袋体１０を有している。図２に示すように、袋体１０は、その内側面を構成するトップシート１１と、外側面を構成する液不透過性のバックシート１２と、トップシート１１およびバックシート１２の間に介在する吸収体１３とを有する。
【００２９】
袋体１０の内部に排泄された尿は、常圧下において、トップシート１１を透過することは可能であるが、バックシート１２を透過することはできず、トップシート１１およびバックシート１２の間において、吸収体１３に吸収保持される。
【００３０】
トップシート１１は、例えば、親水性繊維（セルロース、レーヨン、コットン等）を用いた不織布により構成される。また、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００３１】
バックシート１２は、例えば、疎水性繊維（ポリプロピレン、ポリエチレン、ポリエステル、ポリアミド、ナイロン等）を用いた撥水性の不織布により構成される。バックシート１２は、プラスチックフィルムにより構成されていてもよく、また、プラスチックフィルムとその外側に貼着された柔軟性の高い不織布とにより構成されていてもよい。
【００３２】
吸収体１３は、例えば、顆粒状の高分子吸収体により構成される。図２に示すように、本実施形態では、バックシート１２の内側面に、接着剤（図示省略）を介して高分子吸収体が固定され、その内側に、高分子吸収体を被覆する液透過性の補助シート１４が設けられている。これにより、バックシート１２と補助シート１４との間に、高分子吸収体がシート状に分布した状態となっている。
【００３３】
なお、吸収体１３は、トップシート１１とバックシート１２との間において、補助シート１４を介することなく保持されていてもよい。また、吸収体１３は、粉砕したパルプ繊維やセルロース繊維などの親水性繊維の集合層に、顆粒状の高分子吸収体を混合した塊を、ティッシュペーパーなどの紙シートまたは透液性の不織布シートで被覆したものにより構成されていてもよい。ただし、吸収体１３の嵩張りを抑制するためには、吸収体１３を、パルプ非存在の高分子吸収体により構成することが望ましい。
【００３４】
図１に示すように、袋体１０は、幅方向に延びる上辺部１５と、袋体１０の一方の側辺を構成し長手方向に延びる側辺部１６とを有している。この側辺部１６のうち、袋体１０の上側（底部１０ｃとは反対側の部分）の位置に、幅方向に突出する張り出し部１７が形成されている。なお、袋体１０の側辺部１６のうち、張り出し部１７の側辺を側辺部１６ａとし、張り出し部１７以外の側辺部分を側辺部１６ｂとしている。
【００３５】
なお、本実施形態では、上辺部１５の長さを、側辺部１６の長さよりも短くしているが、上辺部１５の長さを側辺部１６の長さよりも長くしてもよい。ただし、側辺部１６を長くすることによって、袋体１０内部の開口部１０Ｐよりも下側部分に、尿を収容するための空間を広く確保でき、より多くの吸収体１３を配置することができる。
【００３６】
張り出し部１７の側辺部１６ａは、長手方向に切り込まれており、幅方向に向けて開口する第１開口部１０Ｐａを形成している。また、張り出し部１７の上部においても、幅方向に切り込まれており、長手方向に向けて開口する第２開口部１０Ｐｂが形成されている。なお、上辺部１５の切り込みと側辺部１６の切り込みは、互いに繋がっており、第１開口部１０Ｐａと第２開口部１０Ｐｂとで、一つの開口部１０Ｐが形成されている。張り出し部１７は、この開口部１０Ｐを形成する切り込みによって、側面部１７１ａと側面部１７１ｂとに左右に分離されている。
【００３７】
開口部１０Ｐにより、袋体１０の内部が外部と空間的に連通する。開口部１０Ｐのうち、側辺部１６の開口部１０Ｐａから、袋体１０の内部に男性器Ｐが挿入される（図５参照）。袋体１０では、第２開口部１０Ｐｂが形成されていることにより、開口部１０Ｐを大きく拡げることができるため、男性器Ｐを挿入しやすくなっている。また、張り出し部１７のように特徴的な構造を袋体１０に形成することにより、着用者または介護者は、男性器Ｐを挿入する部分を容易に認識することができる。
【００３８】
図２に示すように、袋体１０の底部１０ｃ（上辺部１５の反対側部分）には、袋体１０の内部へ向けて折り込まれた折り込み部１８が設けられている。折り込み部１８は、トップシート１１、補助シート１４，吸収体１３、及びバックシート１２が、袋体１０の内部へ向けて折り込まれることによって形成されている。
【００３９】
採尿パッド１に折り込み部１８を設けることにより、袋体１０の長手方向の寸法が長くなることを抑制しつつ、袋体１０の内側面の表面積を広く確保している。また、このような折り込み部１８を設けることにより、トップシート１１とバックシート１２との間に多くの吸収体１３を保持できるようにしている。
【００４０】
袋体１０の底部１０ｃは、排尿前の状態においても、折り込み部１８を構成する各シート部分の嵩や、僅かな弾性によって、若干拡がった状態に維持されている。これにより、袋体１０の上部においても、内側面同士が接触し難くなり、袋体１０の内部により広い空間を確保することができる。
【００４１】
袋体１０の内部に尿が排泄されると、吸収体１３は、尿を吸収して膨潤する。これにより、折り込み部１８が展開して、袋体１０の底部１０ｃがさらに拡がることとなる。その結果、袋体１０の内部にさらに広い空間が確保される。
【００４２】
採尿パッド１は、折り込み部１８を有することにより、袋体１０の内部空間を広く確保できる構造となっている。このため、着用者が尿を排泄したときに、未吸収の尿が袋体１０から溢れ出してしまうことを軽減できる。
【００４３】
本実施形態では、折り込み部１８の折り込み深さは、袋体１０の長手方向の寸法の半分以下とされている。そして、袋体１０の内部の、折り込み部１８の頂部１８１より上辺部１５側に、男性器の全体を収容できる程度の空間Ｓが確保されている。このため、着用者の男性器Ｐから排泄された尿が、折り込み部１８の頂部１８１に直接当たりやすくなっている。これにより、吸収体１３の折り込まれた部分を効率よく膨潤させることができるため、袋体１０の底部１０ｃを良好に拡げることができる。
【００４４】
図１に戻って、張り出し部１７には、長手方向に沿って延びる糸状の弾性部材１９が複数本設けられている。袋体１０の外側を形成するバックシート１２の端部は、張り出し部１７において、開口部１０Ｐの縁の内側へ折り畳まれており、このバックシート１２の折り畳まれた部分の内部に、弾性部材１９が設けられている。すなわち、弾性部材１９は、両側をバックシート１２で挟まれた状態で埋設されている。
【００４５】
これら複数本の弾性部材１９は、自然長よりも伸長された状態で、接着剤などによりバックシート１２に取り付けられている。このため、複数本の弾性部材１９は、開口部１０Ｐを縮める（すなわち、開口サイズを小さくさせる）弾性力を発生させる。一方、採尿パッド１の着用者又は介護者は、弾性部材１９の弾性力に抗して、開口部１０Ｐを長手方向に容易に広げることもできる。弾性部材１９は、例えば、ポリウレタン糸で構成できるが、ポリウレタンフィルムや天然ゴムなど、その他の素材が用いられてもよい。
【００４６】
さらに、張り出し部１７の開口部１０Ｐには、開口部シート２０が取り付けられている。開口部シート２０は、トップシート１１の内側面からバックシート１２の外側面にかけて、接着剤などを介して貼着されている。開口部シート２０は、着用者の肌への当たりを和らげ、肌に対する刺激を低減させる役割を果たす。開口部シート２０は、例えば、比較的柔軟な繊維を用いた不織布により構成されるが、不織布に限定されるものではない。
【００４７】
図１および図２に示すように、袋体１０の長手方向中央部付近には、幅方向に沿って延びる糸状の弾性部材２１が複数本配置されている。なお、これら複数の弾性部材２１は、トップシート１１と補助シート１４との間の位置に配置されている。これら複数本の弾性部材２１は、自然長よりも伸長された状態で、接着剤を介してトップシート１１（もしくは補助シート１４）に貼付けられている。また、複数の弾性部材２１は、袋体１０を構成する両側の側面のそれぞれに対して、少なくとも吸収体１３を幅方向に渡って跨ぐように設けられている。
【００４８】
図３は、図２に示すＩＩＩ−ＩＩＩ位置から見た袋体１０の断面図である。図３に示すように、弾性部材２１が配置された部分およびその近傍部分は、弾性部材２１の弾性力によって幅方向に縮められる。すなわち、弾性部材２１は、袋体１０に対して、幅方向に縮めるように付勢する。弾性部材２１は、袋体１０のほぼ全幅に渡って設けられているため、袋体１０の両側部分が、図３中ブロック矢印で示すように、袋体１０の内側へ引っ張られることとなる。そのため、袋体１０の両側面が外側へ突出するように、袋体１０が袋状に膨らみやすくなる。
【００４９】
なお、本実施形態では、弾性部材２１を幅方向に沿って設けているが、任意の方向に延びるように配置してもよい。いずれの方向に沿って弾性部材２１が設けられた場合でも、その方向に沿って袋体１０が縮められるため、袋体１０が袋状に膨らみやすくなる。
【００５０】
また、弾性部材２１は、吸収体１３が配置されている部分に設けることが好ましい。吸収体１３が配置されている部分は、その他の部分よりも剛性が高いため、弾性部材２１によって袋体１０の形が崩れることを抑制することができる。
【００５１】
なお、弾性部材２１は、バックシート１２と吸収体１３との間に設けてもよい。ただし、吸収体１３と補助シート１４との間の接着力を弱めないためには、バックシート１２と吸収体１３との間よりも、トップシート１１と補助シート１４との間に設ける方が好ましい。
【００５２】
開口部１０Ｐの縁近傍には、男性器Ｐのサイズに応じて開口部１０Ｐの長手方向の大きさを固定する固定部材２２（開口調整部）が設けられている。固定部材２２は、袋体１０の長手方向に沿って延びるとともに、張り出し部１７の側面部１７１ａの側にその基端部が接着剤などで取り付けられた基材シート２２１と、基材シート２２１の他端部近傍に設けられた雄部材２２２とを有する。
【００５３】
雄部材２２２は、例えば、止着材としてのフック材を含む面ファスナにより構成されており、開口部シート２０の表面の任意の位置に対して、着脱可能となっている。なお、バックシート１２を不織布とした場合には、雄部材２２２は、バックシート１２の任意の位置に対しても着脱自在となる。
【００５４】
なお、固定部材２２は、必ずしも開口部シート２０に対して雄部材２２２を付着させるものでなくてもよい。例えば、開口部１０Ｐの近傍のバックシート１２の外側面に雌部材（例えば、面ファスナーのループ材）を設け、該雌部材に対して雄部材２２２を付着させるようにしてもよい。また、雄部材２２２として粘着テープを採用してもよい。
【００５５】
図４は、採尿パッド１の展開図である。採尿パッド１は、トップシート１１、補助シート１４、吸収体１３、及びバックシート１２をこの順に積層させた、略長方形状の積層体３０から形成される。ただし、張り出し部１７を構成する部分（図６中、左側側辺の上端部分および下端部分）については、幅方向に突出するように積層体３０が形成されている。
【００５６】
採尿パッド１を製造する際には、まず、トップシート１１が内側となり、かつ、底部１０ｃに折り込み部１８が形成されるように、積層体３０が折り曲げられる。具体的には、図４に示すように、バックシート１２を表向きにした状態で、積層体３０が、その長手方向中央部で幅方向に延びる折曲線３１ａにおいて、裏方向に突出するように谷折りされる。さらに、積層体３０は、折曲線３１ａを挟んだ両側で幅方向に延びる折曲線３１ｂ，３１ｃにおいて、表向きに突出するように山折りされる。
【００５７】
このようにして折り曲げられた積層体３０に対して、シール領域３２が熱シール等で接合される。このとき、張り出し部１７の側辺部１６ａに相当する部分と、上辺部１５の張り出し部１７側の一部に相当する部分とについて、シール接合をしないようにすることで、これらの部分に開口部１０Ｐが形成される。
【００５８】
本実施形態では、積層体３０の折り込み部１８となる部位を折り曲げた後に、熱シールによる接合が行われる。これにより、折り込み部１８を容易に形成することができる。また、折り込み部１８の両側部分も、内側へ折り込まれた状態で、熱シールにより固定される。このため、内側に折り込まれた折り込み部１８が、袋体１０の外側へ自然に展開してしまうことを抑制することができる。
【００５９】
図５は、採尿パッド１を男性器Ｐに装着している様子を示す図である。採尿パッド１を装着する際には、まず、着用者又は介護者によって、採尿パッド１の開口部１０Ｐが拡げられる。そして、拡げられた開口部１０Ｐのうち、側辺部１６ａ側の第１開口部１０Ｐａに男性器Ｐが挿入される。
【００６０】
この状態で着用者又は介護者は、開口部１０Ｐによって左右に分離された張り出し部１７を構成する両側の側面部１７１ａ，１７１ｂを上下に重ね合わせることによって、男性器Ｐを袋体１０の内部に収納する。このとき、固定部材２２が取り付けられていない方の側面部１７１ｂが、固定部材２２が取り付けられた方の側面部１７１ａと男性器Ｐの間に重ねられる。また、張り出し部１７の下端に男性器Ｐの下部を当接させて、おくことで、開口部１０Ｐと男性器Ｐとの間に隙間が生じることを防止することができる。
【００６１】
さらに固定部材２２が引っ張られながら男性器Ｐの挿入された開口部１０Ｐの周囲に巻き付けられるとともに、固定部材２２の雄部材２２２が側面部１７１ｂに取り付けられる。これにより、開口部１０Ｐの開口サイズが男性器Ｐのサイズに合わせて調整され、採尿パッド１が男性器Ｐに強固に固定される。これにより、排泄された尿が開口部１０Ｐから漏れにくくなる。
【００６２】
また、本実施形態では、張り出し部１７に開口部１０Ｐを設けているため、男性器Ｐの大きさに応じて、固定部材２２の基材シート２２１を張り出し部１７の周囲に巻き付けることができる。したがって、採尿パッド１を男性器Ｐにしっかりと固定することができる。ただし、張り出し部１７は、必ずしも必要なものではなく、省略することも可能である。
【００６３】
図６は、おむつ４０がさらに着用されたときの、男性器Ｐに装着された採尿パッド１を示す図である。図６に示すように、本実施形態の採尿パッド１では、男性器Ｐを挿入する方向が、袋体１０の幅方向となっている。そのため、採尿パッド１を装着した際に、袋体１０の底部１０ｃが男性器Ｐの下方に配置されやすくなる。したがって、おむつ４０などがさらに着用された際に、底部１０ｃ周辺が折れ曲がることを抑制できるため、底部１０ｃへ続く通路が確保されやすくなり、男性器Ｐから排泄された尿が開口部１０Ｐから漏れ出すことを効果的に抑制できる。
【００６４】
また、袋体１０の幅方向の長さは、長手方向の長さよりも短い。すなわち、長手方向に折り曲げられる場合よりも、幅方向に折り曲げられた場合の方が袋体１０に生じる皺の大きさが小さいため、排泄された尿が開口部１０Ｐから漏れ出すことを抑制できる。
【００６５】
また、本実施形態の採尿パッド１によれば、側辺部１６ａに開口部を設けることにより、尿の重みなどの影響で袋体１０が下側に引っ張られた場合に、袋体１０の内側上部が男性器に引っ掛かりやすい。したがって、上辺部分に開口部が設けられた従来の採尿パッド１００に比べて、袋体１０が男性器から外れにくくなる。
【００６６】
＜２．変形例＞
以上、実施形態について説明したが、本発明は上記の実施形態に限定されるものではない。なお、以下の説明において、上記実施形態と同様の機能を有する要素については適宜同一符号を付して、その説明を省略する。
【００６７】
例えば上記の実施形態では、トップシート１１とバックシート１２との間のほぼ全体に吸収体が介在していたが、トップシート１１とバックシート１２との間に、吸収体１３が介在しない領域があってもよい。ただし、排尿時に袋体１０の底部を拡げる効果を得るためには、少なくとも、折り込み部１８に吸収体１３が配置されていることが望ましい。
【００６８】
また、上記の実施形態では、袋体１０の底部に、一つの折り込み部１８が設けられていたが、袋体１０の底部に、複数の折り込み部が設けられていてもよい。例えば、図７に示す採尿パッド１Ａのように、袋体１０の底部に、２つの折り込み部１８が設けられていてもよい。このように構成することによって、袋体１０の内側面の表面積をさらに増大させることができるとともに、トップシート１１とバックシート１２との間に、より多くの吸収体１３を介在させることができる。また、袋体１０の内部に、より広い空間を確保することもできる。
【００６９】
また、上記の実施形態では、折り込み部１８において、トップシート１１、補助シート１４、吸収体１３、及びバックシート１２が、袋体１０の内部へ折り込まれていたが、必ずしもこれらの全てのシートが折り込まれていなくてもよい。例えば、図８に示す採尿パッド１Ｂのように、トップシート１１、補助シート１４，及び吸収体１３のみが、袋体１０の内部へ折り込まれていてもよい。このような構成であっても、袋体１０の内側面の面積や吸収体１３の量を増加させることができるとともに、袋体１０の底部は若干拡がった状態に維持されるため、袋体１０の内部に空間を確保することもできる。ただし、排尿時に袋体１０の底部を拡げるためには、バックシート１２を含む全てのシートを、袋体１０の内部へ折り込んでおくことが望ましい。
【００７０】
また、上記実施形態では、袋体１０の片側の側辺部１６の一部に、張り出し部１７を設けているが、このような張り出し部１７は必ずしも設けられなくてもよい。例えば、側辺部１６が直線状に形成され、この直線状の側辺部１６に、第１開口部１０Ｐａが形成されていてもよい。
【００７１】
また、図６に示すように、上記実施形態の袋体１０では、開口部１０Ｐとは反対側の側辺部分と上辺部１５が交差する角部分が、おむつなどに当たって、折り曲がってしまうことがある。そこで、図９に示す採尿パッド１Ｃのように、このおむつ４０に当たる角部分を、あらかじめ切り落としておいてもよい。このように構成することによって、袋体１０の折れ曲がりを抑制できるため、おむつ４０などの中で採尿パッド１が嵩張ることを抑制できる。なお、この角部分は、曲線状にまたは直線状に切り出してもよく、任意の形状に形成することができる。
【００７２】
また、上記実施形態では、積層体３０は、折り曲げられて折り込み部１８が形成された後に、熱シールによる接合が行われるとしているが、二つ折りにされて、両側辺１６および上辺部１５がシールされた後に、袋体１０の底部１０ｃが袋体１０の内部へ向けて折り込まれて、折り込み部１８が形成されるようにしてもよい。
【００７３】
また、上記実施形態では、張り出し部１７を設けることによって、着用者や介護者が男性器Ｐを挿入する開口部１０Ｐの位置を容易に認識できるようにしている。ここで、開口部１０Ｐ近傍を周囲とは異なる色で彩色したり、開口部を矢印などで指し示したりするなど、視覚的に開口部の位置を認識し得る標識手段を袋体に付与することによって、開口部１０Ｐの位置を分かりやすくしてもよい。
【００７４】
また、上記の実施形態では、長方形状の積層体３０を折り曲げられてその両側辺がシールされることにより、袋体１０が構成されていたが、袋体１０は、必ずしも単一の積層体３０から形成されたものでなくてもよい。例えば、複数枚の積層体を接合して、袋体１０が構成されていてもよい。
【符号の説明】
【００７５】
１，１Ａ，１Ｂ，１Ｃ  採尿パッド
１０  袋体
１０Ｐ  開口部
１０Ｐａ  第１開口部
１０Ｐｂ  第２開口部
１０ｃ  底部
１１  トップシート
１２  バックシート
１３  吸収体
１４  補助シート
１５  上辺部
１６  側辺部
１６ａ  側辺部
１６ｂ  側辺部
１７１ａ，１７１ｂ  側面部
１８１  頂部
１９  弾性部材
２０  開口部シート
２１  弾性部材
２２  固定部材
２２１  基材シート
２２２  雄部材
３０  積層体
３１ａ，３１ｂ，３１ｃ  折曲線
３２  シール領域
４０  おむつ
Ｐ  男性器
Ｓ  空間
【図１】
2011110264.tif 000003
【図２】
2011110264.tif 000004
【図３】
2011110264.tif 000005
【図４】
2011110264.tif 000006
【図５】
2011110264.tif 000007
【図６】
2011110264.tif 000008
【図７】
2011110264.tif 000009
【図８】
2011110264.tif 000010
【図９】
2011110264.tif 000011
【図１０】
2011110264.tif 000012